(57)【特許請求の範囲】
【請求項１】
開口部を有した容体と、前記開口部に着脱自在に連結された蓋体とを備え、
前記蓋体は、前記容体の側壁と連続するように設けられた側壁と、前記開口部と連通するように開口された食べ殻用の投入口とが備えられ、
前記容体と前記蓋体とにわたって、前記容体に対する前記蓋体の連結状態を保持する保持部が備えられ、該保持部は、蓋体又は容体のいずれか一方に設けられた雌側嵌合と、他方に設けられた雄側嵌合部を有し、前記雌側嵌合部の内周面又は雄側嵌合部の外周面のいずれか一方の全周にわたり突出形成した環状接触部を備えていることを特徴とする食べ殻容器。
【請求項２】
前記投入口が、前記開口部と対面するように開口されていることを特徴とする請求項１記載の食べ殻容器。
【請求項３】
前記投入口の径が、前記開口部の径よりも小径であることを特徴とする請求項１又は２記載の食べ殻容器。
【発明の詳細な説明】
【技術分野】
【０００１】
本発明は、食べ殻を容れるための容器に関する。
【背景技術】
【０００２】
カニ・エビ等の殻、貝類の殻、魚類等の骨、豆類の殻、菓子の袋等の食べ殻を容れる容器は、いわゆる荒入（あらいれ）やボール等が知られている。この荒入は、食べ殻を容れるための容器として用いられるものであり、その形態として、食べ殻を投入する投入口を狭くして収容された食べ殻を見え難くするようになっているものや、投入口を広くして食べ殻を容れ易くするようになっているものがある。
【発明の概要】
【発明が解決しようとする課題】
【０００３】
前述のような投入口が狭い食べ殻容器は、食べ殻が見え難くなるように収容することができるため、食事中の他人に不快感を与えないようにすることができ、投入口が広い食べ殻容器は、食べ殻が容れ易いとともに収容した食べ殻を捨て易く、しかも、内部の洗浄が行い易いという利点がある。
【０００４】
しかしながら、投入口が狭い食べ殻容器は、収容した食べ殻が捨て難いとともに、内部の洗浄が行い難いという問題があり、投入口が広い食べ殻容器は、収容した食べ殻が見えてしまい、食事中の他人に不快感を与えてしまうという問題があった。
【０００５】
尚、本発明に関連する先行技術文献のうち、出願人が当該特許出願時に知っているものがないので、開示すべき先行技術文献情報はない。
【０００６】
本発明は、このような問題に対処することを課題の一例とするものである。すなわち、食べ殻が見え難くなるように収容して食事中の他人に不快感を与えないようにできること、収容した食べ殻を捨て易くできること、内部の洗浄を行い易くできること、等が本発明の目的である。
【課題を解決するための手段】
【０００７】
このような目的を達成するために、本発明による食べ殻容器は、以下の構成を少なくとも具備するものである。
【０００８】
開口部を有した容体と、前記容体の開口部に着脱自在に連結される蓋体と、を備え、前記蓋体は、前記容体の側壁と連続するように設けられた側壁と、前記開口部と連通するように開口された食べ殻用の投入口とが備えられていることを特徴とする。
【０００９】
開口部を有した容体と、前記開口部に着脱自在に連結された蓋体と、を備え、前記蓋体は、前記開口部と連通するように開口された食べ殻用の投入口が備えられていることを特徴とする。
【発明の効果】
【００１０】
このような特徴を有することで本発明は以下の効果を奏する。すなわち、容体の開口部と連通するように開口された食べ殻用の投入口を備えた蓋体が容体に着脱可能なものであるので、食べ殻が見えないように収容して食事中の他人に不快感を与えないようにできる。また、収容した食べ殻を捨て易くできるとともに、内部の洗浄を行い易くできる。
【図面の簡単な説明】
【００１１】
【図１】本発明に係る食べ殻容器の斜視図。
【図２】（ａ）は図１の(２)−(２)線断面図、（ｂ）は（ａ）の要部拡大図。
【図３】図２の(３)−(３)線断面図。
【図４】保持部の実施形態を示す要部拡大断面図。
【図５】保持部の他の実施形態を示す要部拡大断面図。
【図６】保持部の他の参考例を示す概略構成図で、（ａ）は正面横断面図、（ｂ）は（ａ）の（ｂ）−（ｂ）線断面図。
【図７】保持部の他の参考例の概略構成を示す展開図。
【図８】保持部の他の参考例の概略構成を示す展開図で、（ａ）は分離状態を示し、（ｂ）は連結状態を示す。
【発明を実施するための形態】
【００１２】
本発明でいう食べ殻とは、カニ・エビ等の殻、貝類の殻、魚類や肉類の骨、豆類の殻、果物の皮、菓子の袋等、食物から出る廃棄物であり、更に、鍋物の灰汁、茶殻、コーヒー殻も含まれる。
【００１３】
本発明の食べ殻容器は、焼物製、不透明の合成樹脂製、金属製、木製、不透明のガラス製のもの等が挙げられる。また、食べ殻容器の形状は、球状、楕円球状、円柱状、角柱状等、どのような形状としてもよい。
【００１４】
本発明の食べ殻容器は、前記投入口が前記開口部と対面するように開口されていることを特徴とする。また、本発明の食べ殻容器は、前記投入口の径を前記開口部の径よりも小径としていることを特徴とする。
【００１５】
本発明の食べ殻容器は、前記容体と蓋体とにわたって、前記容体に対する前記蓋体の連結状態を保持する保持部が備えられていることを特徴とする。
【００１６】
以下、本発明に係る食べ殻容器の基本形態を図面に基づいて説明する。図１〜図３は、参考例の食べ殻容器１の構成図である。食べ殻容器１は、底部２０と上部３０を平坦状とした上下方向（鉛直方向）に長い楕円球状を呈しており、この食べ殻容器１のほぼ下半部を構成する容体２と、ほぼ上半部を構成し、容体２上部の開口部２１に対して着脱可能に連結された蓋体３とが備えられている。また、開口部２１の縁部２２と蓋体３下部の開口部３１の縁部３２とにわたり、容体２に対する蓋体３の連結状態を保持する保持部４が備えられている。
【００１７】
容体２は、開口部２１側が底部２０側よりも大径とする椀状を呈するように形成されており、この容体２内に食べ殻（図示せず）が収容される空間Ｓ１が確保されている。また、平坦状の底部２０をテーブル（図示せず）の天板（図示せず）等の平坦面に載置することで、食べ殻容器１を立てることができるようになっている。
【００１８】
蓋体３は、開口部３１側が上部３０側よりも大径とする逆椀状を呈するように形成されており、この開口部３１側を容体２の開口部２１に対面させて嵌合して連結することで食べ殻容器１を構成し、連結解除して蓋体３を容体２から分離することで容体２内を開放するようになっている。この蓋体３の上部３０には、食べ殻を空間Ｓ１内に投入する投入口３３が、開口部３１と同心となるように開口されている。この蓋体３は、容体２の側壁２４の高さと同等の高さの側壁３４を有しており、この側壁３４に容体２内の空間Ｓ１と同等の大きさの空間Ｓ２が確保されている。そして、この空間Ｓ２と空間Ｓ１とによって、食べ殻容器１内に食べ殻が収容される収容空間Ｓを構成するようになっている。尚、側壁３４の高さは、側壁２４の高さと同じとする形態に限らず、側壁２４の高さよりも高くしてもよいし、低くしてもよい。また、本発明は、投入口３３を開口部３１と同心となるように対面して開口した形態に限定するものではなく、例えば、投入口３３の軸心を開口部３１の軸心からずらした形態としてもよいし、投入口３３を側壁３４に開口した形態としてもよい。
【００１９】
投入口３３は、少なくとも、食べ殻を収容空間Ｓ内に投入でき、この収容空間Ｓ内に収容された食べ殻が見え難くなる程度の径のものであればよい。本基本形態の場合、食べ殻容器１が楕円球状を呈するものであるため、投入口３３の径が必然的に開口部２１の径よりも小径になるが、食べ殻容器１が、上下方向に同径の円柱状や同幅の角柱状を呈するものである場合には、投入口３３を開口部２１よりも小径となるように開口する（図示せず）。また、本基本形態の蓋体３は、容体２の側壁と同等の高さの側壁３４を有しているが、本発明では、この側壁３４を備えていない形態の蓋体３も含む（図示せず）。このような側壁３４を備えていない蓋体３の場合、投入口３３の径を可能な限り小さくしたり、容体２の高さを可能な限り高くしたりすることで、収容された食べ殻を見難くすることが好ましい（図示せず）。
【００２０】
容体２と蓋体３の連結構造は、容体２の縁部２２の上部に軸方向に突設され、この縁部２２の外径よりも小径とする環状の雄側嵌合部２Ａと、蓋体３の縁部３２の下部に軸方向に突設され、内径を雄側嵌合部２Ａの外径よりも大径とする環状の雌側嵌合部３Ａとを有し、雄側嵌合部２Ａに雌側嵌合部３Ａが軸方向に着脱可能に嵌合することで連結される構造になっている。
【００２１】
本基本形態の食べ殻容器１は、容体２と蓋体３の連結状態において、容体２の側壁２４と蓋体３の側壁３４とが面一に連続するようになっている。尚、本発明では、例示した容体２の側壁２４と蓋体３の側壁３４とが面一であることに限定するものではない。
【００２２】
本基本形態の保持部４は、雄側嵌合部２Ａの外周面２０Ａの全周にわたって形成された嵌合溝２１ＡにＯリング４０が嵌合取り付けされ、雌側嵌合部３Ａが雄側嵌合部２Ａに嵌合したときに、Ｏリング４０が雌側嵌合部３Ａの内周面３０Ａに圧接するようにしたものである。すなわち、この保持部４は、Ｏリング４０と内周面３０Ａとの圧接によって生じる摩擦力で、容体２と蓋体３との連結状態を保持するようになっており、この摩擦力を上回る力でもって、容体２と蓋体３を軸方向に引き離すようにすることにより分離できるようになっている。更に、この圧接によるＯリング４０の潰れ変形により、雄側嵌合部２Ａと雌側嵌合部３Ａとの間で水密構造を構成するようになっている。
【００２３】
このような保持部４によると、容体２と蓋体３との連結状態を分離可能に保持できる。しかも、水密構造によって、連結部分からの水漏れを防止できる。
【００２４】
このような食べ殻容器１によると、容体２と蓋体３とを連結することで食べ殻容器１が構成され、この連結状態が保持されているので、使用中に容体２と蓋体３との分離を防止することができる。また、食べ殻容器１が上下方向に長く、先窄まり状となる楕円球状のものであって、しかも、上部の投入口３３の径を、少なくとも、食べ殻を収容空間Ｓ内に投入でき、この収容空間Ｓ内に収容された食べ殻が見え難くなる程度の径としているので、食べ殻を見難くなるように収容することができる。また、容体２と蓋体３とが分離可能であるので、この容体２と蓋体３とを分離することにより、収容された食べ殻を捨てたり、食べ殻容器１を洗浄したりすることを容易に行うことができる。更に、保持部４による水密構造により、容体２と蓋体３との連結部分からの水漏れを防止しているので、水分の多い食べ殻や灰汁も水漏れの心配をすることなく収容することができる。
【００２５】
前述の水密構造を有する保持部４の形態として、本発明の実施形態として例えば、図４に示すように、蓋体３の雌側嵌合部３Ａの内周面３０Ａの全周にわたり、この内周面３０Ａを径方向内側に突出形成した環状接触部４１を備え、容体２と蓋体３とを連結するときに、この環状接触部４１が容体２の雄側嵌合部２Ａの外周面２０Ａに圧接するようにした形態が挙げられる。この形態の保持構造によっても、Ｏリング４０による水密構造と同等の水密性を確保することができる。
【００２６】
また、図５に示すように、雄側嵌合部２Ａの外周面２０Ａの全周にわたり、この外周面２０Ａを径方向外側に突出形成した環状接触部４２を備え、この環状接触部４２が蓋体３の雌側嵌合部３Ａの内周面３０Ａに圧接されるようにした形態が挙げられる。この形態の保持構造によっても、Ｏリング４０による水密構造と同等の水密性を確保することができる。
【００２７】
尚、図４及び図５に示す実施形態では、図１〜図３に示した基本形態と重複する部位についての説明を、同符号を付すことにより省略する。
【００２８】
このような保持部４の場合、容体２や蓋体３の素材を、環状接触部４１、４２が形成可能で、且つ前述したＯリング４０のように潰れ変形することが可能な合成樹脂材とすることが好ましい。また、本実施形態の場合、雄側嵌合部３Ａには、Ｏリング４０が嵌合する嵌合溝２１Ａが形成されていない。
【００２９】
本発明の保持部４は、容体２と蓋体３との連結状態を保持できるものであれば、前述の水密構造を備えていないものであってもよい。このような保持部４の参考例として、例えば、図６（ａ）（ｂ）に示すような掛合構造によるものが挙げられる。この保持部４の構造は、雄側嵌合部２Ａの外周面２０Ａに径方向外側に突設された４枚の掛合案内板４３と、雌側嵌合部３Ａの内周面３０Ａに径方向内側に突設された４個の掛合突起４４とを備えており、容体２と蓋体３との連結を保持する状態において、掛合突起４４が掛合案内板４３の下側に位置することにより、蓋体３が軸方向に不動となるように掛合保持されている。
【００３０】
周方向で隣り合う掛合案内板４３の間には、容体２と蓋体３を連結・分離する際に掛合突起４４を軸方向に通過させるための隙間４５が確保されている。
【００３１】
すなわち、隙間４５は、容体２と蓋体３との連結時において、掛合突起４４を軸方向に容体２側に通過させることで、蓋体３を掛合突起４４が掛合案内板４３の下側に位置する方向に回転できるようにするためのものである。また、容体２と蓋体３との分離時において、蓋体３を掛合突起４４が隙間４５に正対する位置まで回転させた後、掛合突起４４を軸方向に容体２から離間するように通過させることで、容体２と蓋体３とを分離できるようにするためのものである。
【００３２】
尚、図６（ａ）（ｂ）に示す参考例では、図１〜図５に示した基本形態及び実施形態と重複する部位についての説明を、同符号を付すことにより省略する。
【００３３】
また、保持部４の他の参考例として、図７に示すように、掛合案内板４３の一端側に、蓋体３の回転方向を規制するストッパー４６を設けた形態としてもよい。この保持部４の場合、掛合突起４４が掛合案内板４３に掛合する方向の蓋体３の回転において、掛合突起４４がストッパー４６に接触することで、蓋体３の回転を規制するようになっている。
【００３４】
このような保持部４によると、蓋体３の掛合方向への回転時に、掛合突起４４が掛合案内板４３に掛合した状態でストッパー４６に接触することで、蓋体３の回転を規制するようにしているので、蓋体３の過回転を防止することができ、掛合突起４４を掛合案内板４３に対して確実に掛合状態にすることができる。
【００３５】
尚、図７に示す参考例では、図１〜図６に示した実施形態及び参考例と重複する部位についての説明を、同符号を付すことにより省略する。
【００３６】
また、蓋体３の回転方向を規制する機能を有する保持部４の他の形態として、図８（ａ）（ｂ）に示すように、掛合案内板４３と掛合突起４４とを、蓋体３の回転によって掛合案内板４３と掛合突起４４同士が周方向でくさび状に適合して掛合するように形成してなるものである。
【００３７】
このような保持部４によっても、蓋体３の掛合方向への回転時に、掛合突起４４が掛合案内板４３にくさび状に適合して掛合することで、蓋体３の回転が規制されるようにしているので、蓋体３の過回転を防止することができ、掛合突起４４を掛合案内板４３に対して確実に掛合状態にすることができる。
【００３８】
尚、図８に示す参考例では、図１〜図７に示した実施形態及び参考例と重複する部位についての説明を、同符号を付すことにより省略する。
【００３９】
尚、本発明は、例示した実施形態に限定するものではなく、特許請求の範囲の各項に記載された内容から逸脱しない範囲の構成による実施が可能である。例えば、前述の実施形態では、保持部４を備えた食べ殻容器１を例示したが、本発明では、保持部４を備えていない食べ殻容器１も含む（図示せず）。また、図４〜図８に示すような水密構造を備えていない保持部４にも、例えば、Ｏリング４０等により水密構造を備えるようにしてもよい（図示せず）。また、投入口３３の径は、収容された食べ殻を見難くできる径であれば、開口部２１の径よりも大径であってもよいし、開口部２１の径と同径であってもよい（図示せず）。
【符号の説明】
【００４０】
１：食べ殻容器
２：容体
３：蓋体
４：保持部
２１：開口部
２４：側壁
３３：投入口
３４：側壁
【図１】
0005406115.tif 000002
【図２】
0005406115.tif 000003
【図３】
0005406115.tif 000004
【図４】
0005406115.tif 000005
【図５】
0005406115.tif 000006
【図６】
0005406115.tif 000007
【図７】
0005406115.tif 000008
【図８】
0005406115.tif 000009